(57)【要約】【課題】類似の配列でアイコンが配置された画面を切り替えた場合に、画面が切り替わったことを使用者が容易に認知できるようにする。【解決手段】情報を表示する表示部と、表示部の表示画面の表示内容を切り替える指示がされた場合、切り替え指示に応じた異なる効果を付けて表示内容を切り替えるよう表示部を制御する制御部と、を具備する。【選択図】      図１０
2007052403.tif 000002
【特許請求の範囲】
【請求項１】
情報を表示する表示手段と、
前記表示手段の表示画面の表示内容を切り替える指示がされた場合、切り替え指示に応じた異なる効果を付けて表示内容を切り替えるよう前記表示手段を制御する制御手段と、
を具備することを特徴とする表示装置。
【請求項２】
前記制御手段は、表示画面上に表示されている第１のアイコン群を消去し、該第１のアイコン群の消去後に、前記表示画面上に前記第１のアイコン群とは異なる第２のアイコン群を動画表示させながら、前記第１のアイコン群が表示されていた位置と略同じ位置に前記第２のアイコン群を配列させるように前記表示手段を制御することを特徴とする請求項１に記載の表示装置。
【請求項３】
前記制御手段は、表示画面上に表示されている第１のアイコン群と表示領域を区分するウィンドウのうち前記第１のアイコン群を消去し、該第１のアイコン群の消去後に、前記表示画面上で前記ウィンドウを動画表示させながら規定の位置に配列し、さらに前記表示画面上に前記第１のアイコン群とは異なる第２のアイコン群を、前記第１のアイコン群が表示されていた位置と略同じ位置に配列させるように前記表示手段を制御することを特徴とする請求項１に記載の表示装置。
【請求項４】
前記制御手段は、前記第２のアイコン群を、移動、拡大縮小、回転、歪み、反転、モーフ、フレームアニメーション、色変化、フェードのうちのいずれか、又はそれらの複合動作により、動画表示させることを特徴とする請求項１に記載の表示装置。
【請求項５】
前記制御手段は、階層的なメニュー画面を切り替えて表示可能であって、メニュー画面の階層に応じた効果を付けて表示内容を切り替えるよう制御することを特徴とする請求項１に記載の表示装置。
【請求項６】
前記制御手段は、階層的なメニュー画面を切り替え表示可能であって、メニュー画面の階層の深さを示す情報を表示するよう制御することを特徴とする請求項１に記載の表示装置。
【請求項７】
情報を表示する表示手段と、
前記表示手段の表示画面の表示内容を切り替える指示が出された場合に、前記表示画面上に表示されている第１のアイコン群を消去し、該第１のアイコン群の消去後に、前記表示画面上に前記第１のアイコン群とは異なる第２のアイコン群を動画表示させながら、前記第１のアイコン群が表示されていた位置と略同じ位置に前記第２のアイコン群を配列させるように前記表示手段を制御する制御手段と、
を具備することを特徴とする表示装置。
【請求項８】
情報を表示する表示手段と、
前記表示手段の表示画面の表示内容を切り替える指示が出された場合に、前記表示画面上に表示されている第１のアイコン群と表示領域を区分するウィンドウのうち前記第１のアイコン群を消去し、該第１のアイコン群の消去後に、前記表示画面上で前記ウィンドウを動画表示させながら規定の位置に配列し、さらに前記表示画面上に前記第１のアイコン群とは異なる第２のアイコン群を、前記第１のアイコン群が表示されていた位置と略同じ位置に配列させるように前記表示手段を制御する制御手段と、
を具備することを特徴とする表示装置。
【請求項９】
情報を表示する表示工程と、
前記表示工程により表示された表示画面の表示内容を切り替える指示がされた場合、切り替え指示に応じた異なる効果を付けて表示内容を切り替えるよう制御する制御工程と、
を具備することを特徴とする表示方法。
【請求項１０】
前記制御工程は、表示画面上に表示されている第１のアイコン群を消去し、該第１のアイコン群の消去後に、前記表示画面上に前記第１のアイコン群とは異なる第２のアイコン群を動画表示させながら、前記第１のアイコン群が表示されていた位置と略同じ位置に前記第２のアイコン群を配列させるように制御することを特徴とする請求項９に記載の表示方法。
【請求項１１】
前記制御工程は、表示画面上に表示されている第１のアイコン群と表示領域を区分するウィンドウのうち前記第１のアイコン群を消去し、該第１のアイコン群の消去後に、前記表示画面上で前記ウィンドウを動画表示させながら規定の位置に配列し、さらに前記表示画面上に前記第１のアイコン群とは異なる第２のアイコン群を、前記第１のアイコン群が表示されていた位置と略同じ位置に配列させるように制御することを特徴とする請求項９に記載の表示方法。
【請求項１２】
前記制御工程は、前記第２のアイコン群を、移動、拡大縮小、回転、歪み、反転、モーフ、フレームアニメーション、色変化、フェードのうちのいずれか、又はそれらの複合動作により、動画表示させることを特徴とする請求項９に記載の表示方法。
【請求項１３】
前記制御工程は、階層的なメニュー画面を切り替えて表示可能であって、メニュー画面の階層に応じた効果を付けて表示内容を切り替えるよう制御することを特徴とする請求項９に記載の表示方法。
【請求項１４】
前記制御工程は、階層的なメニュー画面を切り替え表示可能であって、メニュー画面の階層の深さを示す情報を表示するよう制御することを特徴とする請求項９に記載の表示方法。
【請求項１５】
表示手段の表示画面に第１のアイコン群を表示させる第１の表示工程と、
前記表示手段の表示画面の表示内容を切り替える指示が出された場合に、前記表示画面上に表示されている第１のアイコン群を消去する消去工程と、
前記第１のアイコン群の消去後に、前記表示画面上に前記第１のアイコン群とは異なる第２のアイコン群を動画表示させながら、前記第１のアイコン群が表示されていた位置と略同じ位置に前記第２のアイコン群を配列させる第２の表示工程と、
を具備することを特徴とする表示方法。
【請求項１６】
表示手段の表示画面に第１のアイコン群と表示領域を区分するウィンドウとを表示させる第１の表示工程と、
前記表示手段の表示画面の表示内容を切り替える指示が出された場合に、前記表示画面上に表示されている第１のアイコン群とウィンドウのうち前記第１のアイコン群を消去する消去工程と、
前記第１のアイコン群の消去後に、前記表示画面上で前記ウィンドウを動画表示させながら規定の位置に配列するウィンドウ配列工程と、
前記表示画面上に前記第１のアイコン群とは異なる第２のアイコン群を、前記第１のアイコン群が表示されていた位置と略同じ位置に配列させる第２の表示工程と、
を具備することを特徴とする表示方法。
【請求項１７】
請求項９乃至１６のいずれか１項に記載の表示方法をコンピュータに実行させることを特徴とするプログラム。
【請求項１８】
請求項１７に記載のプログラムをコンピュータ読み取り可能に記憶したことを特徴とする記憶媒体。
【発明の詳細な説明】
【技術分野】
【０００１】
本発明は、表示装置に複数のアイコンを整列表示した異なる画面を切り替えて表示する技術に関するものである。
【背景技術】
【０００２】
表示画面を持つ情報機器の多くでは、搭載されているさまざまな機能の設定項目、設定状態、あるいは機器の動作状態を示すために、アイコン表示が用いられている。例えば携帯電話では限られた表示領域により多くの情報を示すため、またデジタルカメラではカメラの撮影画像または再生画像と機器の状態の両方を効率的に表示するために、文字列に置き換えてアイコンが用いられることが多い。またＤＶＤレコーダでは、メニュー画面の選択項目についてそれぞれの項目の認知を補助する目的で、項目名の文字列にアイコンが添えられている例がある。ユーザーインターフェイスの階層構造に応じて、あるいは画面領域の制約のために、これらの状態や項目を示す複数のアイコンは表示画面上に一度にすべて表示されることは稀である。多くの場合は、機器の動作や使用者の操作に従って、いくつかのアイコンが順に切り替わって表示される。
【特許文献１】特開平０８−２４９１５５号公報
【特許文献２】特開２００３−２１９０１１号公報
【発明の開示】
【発明が解決しようとする課題】
【０００３】
機器が画面領域の特定の位置に複数のアイコンを整列配置した画面Ａと、画面Ａでアイコンを配列した画面領域と同じ位置あるいは近い位置に、画面Ａとは異なる複数のアイコンを整列配置した画面Ｂの少なくとも２つの画面を切り替えて表示する場合を考える。その場合、これら２つの画面が瞬時に切り替わると、使用者にとって下記２点の問題が懸念される。
【０００４】
１点目は、画面が切り替わったことがわかりにくいことである。これは、画面Ａと画面Ｂの構成が似ていることや、アイコンの相違は文字列の相違と比べて認知しづらいことによる。
【０００５】
２点目は、画面Ａのアイコン群と画面Ｂのアイコン群に必要以上に強い関連があるように誤解してしまうことである。これは、画面Ａと画面Ｂとで同じ位置に表示されるアイコンが１対１で対応しているように感じてしまうためである。現実にはこのような画面切替の場面では、必ずしも切り替わったアイコンが切り替え前のアイコンに対応しているとは限らず、逆に全く無関係な意味であることもあり得る。
【０００６】
従って、本発明は上述した課題に鑑みてなされたものであり、類似の配列でアイコンが配置された画面を切り替えた場合に、画面が切り替わったことを使用者が容易に認知できるようにすることである。
【課題を解決するための手段】
【０００７】
上述した課題を解決し、目的を達成するために、本発明に係わる表示装置は、情報を表示する表示手段と、前記表示手段の表示画面の表示内容を切り替える指示がされた場合、切り替え指示に応じた異なる効果を付けて表示内容を切り替えるよう前記表示手段を制御する制御手段と、を具備することを特徴とする。
【０００８】
また、本発明に係わる表示装置は、情報を表示する表示手段と、前記表示手段の表示画面の表示内容を切り替える指示が出された場合に、前記表示画面上に表示されている第１のアイコン群を消去し、該第１のアイコン群の消去後に、前記表示画面上に前記第１のアイコン群とは異なる第２のアイコン群を動画表示させながら、前記第１のアイコン群が表示されていた位置と略同じ位置に前記第２のアイコン群を配列させるように前記表示手段を制御する制御手段と、を具備することを特徴とする。
【０００９】
また、本発明に係わる表示装置は、情報を表示する表示手段と、前記表示手段の表示画面の表示内容を切り替える指示が出された場合に、前記表示画面上に表示されている第１のアイコン群と表示領域を区分するウィンドウのうち前記第１のアイコン群を消去し、該第１のアイコン群の消去後に、前記表示画面上で前記ウィンドウを動画表示させながら規定の位置に配列し、さらに前記表示画面上に前記第１のアイコン群とは異なる第２のアイコン群を、前記第１のアイコン群が表示されていた位置と略同じ位置に配列させるように前記表示手段を制御する制御手段と、を具備することを特徴とする。
【００１０】
また、本発明に係わる表示方法は、情報を表示する表示工程と、前記表示工程により表示された表示画面の表示内容を切り替える指示がされた場合、切り替え指示に応じた異なる効果を付けて表示内容を切り替えるよう制御する制御工程と、を具備することを特徴とする。
【００１１】
また、本発明に係わる表示方法は、表示手段の表示画面に第１のアイコン群を表示させる第１の表示工程と、前記表示手段の表示画面の表示内容を切り替える指示が出された場合に、前記表示画面上に表示されている第１のアイコン群を消去する消去工程と、前記第１のアイコン群の消去後に、前記表示画面上に前記第１のアイコン群とは異なる第２のアイコン群を動画表示させながら、前記第１のアイコン群が表示されていた位置と略同じ位置に前記第２のアイコン群を配列させる第２の表示工程と、を具備することを特徴とする。
【００１２】
また、本発明に係わる表示方法は、表示手段の表示画面に第１のアイコン群と表示領域を区分するウィンドウとを表示させる第１の表示工程と、前記表示手段の表示画面の表示内容を切り替える指示が出された場合に、前記表示画面上に表示されている第１のアイコン群とウィンドウのうち前記第１のアイコン群を消去する消去工程と、前記第１のアイコン群の消去後に、前記表示画面上で前記ウィンドウを動画表示させながら規定の位置に配列するウィンドウ配列工程と、前記表示画面上に前記第１のアイコン群とは異なる第２のアイコン群を、前記第１のアイコン群が表示されていた位置と略同じ位置に配列させる第２の表示工程と、を具備することを特徴とする。
【００１３】
また、本発明に係わるプログラムは、上記の表示方法をコンピュータに実行させることを特徴とする。
【００１４】
また、本発明に係わる記憶媒体は、上記のプログラムをコンピュータ読み取り可能に記憶したことを特徴とする。
【発明の効果】
【００１５】
本発明によれば、類似の配列でアイコンが配置された画面を切り替えた場合に、画面が切り替わったことを使用者が容易に認知することが可能となる。
【発明を実施するための最良の形態】
【００１６】
以下、本発明の好適な実施形態について、添付図面を参照して詳細に説明する。
【００１７】
＜撮影画面からメインメニュー画面への遷移について＞
本実施形態では、デジタルビデオカメラの撮影画面からメインメニュー画面への遷移に本発明を適用したときの例を示す。
【００１８】
以降は図面に基づいて本発明の実施形態を説明する。
【００１９】
図１は、本発明の第１の実施形態に係わるデジタルビデオカメラの構成を示すブロック図である。
【００２０】
デジタルビデオカメラは、撮像素子を内蔵して、光学的な被写体像を電気的な画像信号に変換するカメラ部１０１を備えている。
【００２１】
このようなデジタルビデオカメラでは、モニタ上の通常の撮影画面では、モードマイコン１０６は機器の設定状態を表示するために表示マイコン１０７に指示と設定値を送る。表示マイコン１０７はそれを受け、ＦｌａｓｈＲＯＭ１０８に記録された文字列データ、アイコンデータを、同じくＦｌａｓｈＲＯＭ１０８内の座標情報に従ってＲＡＭ１０５内のビットマップ領域上に配置する。ビットマップ領域のデータはビットマップ表示回路１０４に読み出されてビデオ信号に変換され、合成回路１０３により、カメラ部１０１から映像処理回路１０２を介して送られてくるビデオ映像信号と合成されてモニタへ出力される。機器の設定状態が変更されると、その都度モードマイコン１０６から表示マイコン１０７へ新たな指示が送られ、表示が更新される。
【００２２】
使用者がメニューキー１０９を押すと、モードマイコン１０６がそれを受け、表示マイコン１０７に対してメニュー表示の指示を出す。メニュー画面は表示マイコン１０７が、文字列データ、アイコンデータ、カーソルデータを、ビットマップ領域上に配置することによって構成される。使用者が選択キー１１０や実行キー１１１を操作することにより、表示マイコンがビットマップ領域の内容を書き換えて出力映像に反映するとともに、モードマイコン１０６でビデオカメラの各種設定データを変更する。
【００２３】
図２は、アイコンまたは文字等のオブジェクトデータの例とその表示および消去の例を示す図である。
【００２４】
オブジェクトデータ２０１は、大きく分けて、ヘッダ部２０２とデータ部２０３とから構成されている。ヘッダ部２０２には、オブジェクトデータをビットマップ領域上に配置したときの横幅のピクセル数と高さのピクセル数が記録されている。一方、データ部２０３にはオブジェクトデータのピクセルマップが記録されている。
【００２５】
オブジェクトデータ２０１をビットマップ領域の所望の位置へ描画するには、データ部２０３の先頭データから、ヘッダ部２０２に記録されている横幅ピクセル分だけを、ビットマップ領域の描画したい箇所へコピーする。また、データ部２０３の次のピクセルデータから同じく横幅ピクセル分だけを、ビットマップ領域の同じ位置の１ライン下へコピーする。これを高さのピクセル数だけ繰り返すことにより、ビットマップ領域の指定位置へオブジェクトデータ２０１を２０４で示すように描画することができる。
【００２６】
描画したオブジェクトデータ２０１をビットマップ領域から消去するには、描画したときと同じ位置へ、データ部２０３の値をコピーする代わりに、背景色に相当するデータを２０５で示すように上書きすればよい。消去する際の横幅および高さも描画の際と同様に、オブジェクトデータ２０１のヘッダ部２０２から取得する。
【００２７】
また、描画のときにデータ部の各ビットを参照し、値が１以上のピクセルのみビットマップ領域へコピーしてやれば、図形がすでに書かれているビットマップ領域２０６に対して２０７で示すようにデータを追加書き込みすることが可能である。
【００２８】
このようなオブジェクトデータの描画または消去を行うときには、ビットマップ領域へのデータ書き込みに一定の処理時間を要する。ビットマップ領域はビットマップ表示回路１０４によって、ＮＴＳＣでは６０回／秒、ＰＡＬでは５０回／秒走査されてモニタに出力される。ところが、オブジェクトデータのビットマップ領域への描画または消去が完了する前にビットマップ表示回路１０４により表示のための走査が行なわれると、ビットマップ領域への書きかけのデータがモニタに出力されてしまう。これは、使用者には、図３に示すように画面のちらつきとして見えてしまう。特に表示マイコン１０７の処理能力が小さかったり、表示マイコン１０７からＲＡＭ１０５へのアクセス速度が遅かったりすると、このようなちらつき現象が起きやすい。
【００２９】
これを解決するには、２つのビットマップ領域を持ち、ビットマップ表示回路による読み出しを双方の領域から交互に行うダブルバッファリングが有効である。この場合、図４に示すように、表示マイコン１０７により一方のビットマップ領域に書き込みが行われているときには、ビットマップ表示回路１０４はもう一方のビットマップ領域から読み出しを行うため、ちらつきは起きない。読み書きするビットマップ領域の切り替えは走査と走査の間のブランキング期間内に行われ、一方のビットマップ領域の読み出し中に切り替えられることはない。
【００３０】
このダブルバッファリングの手法は、表示マイコン１０７の処理能力が小さかったり、表示マイコン１０７からＲＡＭ１０５へのアクセス速度が遅かったりする環境において、本実施形態を適用する場合に有効である。
続いて、図５乃至図８に示す画面構成の模式図に従って本実施形態の動作について説明する。
【００３１】
この例では、デジタルビデオカメラで撮影画面からメニュー画面に移行する際に、本実施形態の動作を適用することにより、撮影画面のアイコンとメニュー画面のアイコンがそれぞれ独立した要素であることを明確に示すことができる。
【００３２】
図５は、カードカメラモード（静止画を撮影してメモリーカードに記録するモード）における撮影画面を示す図である。
【００３３】
モニタの画面には、ストロボ、ホワイトバランス、連写モード、記録サイズ／画質の設定状態を示すアイコンが表示されており、５０２はメモリーカードの残容量（残撮影枚数）を示している。５０５はカメラで撮影されている被写体であり、この上にビットマップで描画されたアイコンが表示されている。
【００３４】
アイコン５０１は、現在カードカメラモードで動作していることを示している。アイコン５０３には上から順にストロボ、ホワイトバランス、連写モード、記録サイズ／画質の設定状態を示すアイコン群が表示されており、これらは機器の設定状態によって別のアイコンに切り替わる。ここで、アイコン５０４の枠はアイコン５０３のアイコン群が表示されている位置を模式的に図示したものであり、実際に画面に表示されるものではない。
一方、図９はメインメニュー画面である。アイコン群７０１はメイン項目を示しており、現在、選択されている項目をはっきり示すためにアイコンが拡大表示され、その項目名が８０１に示すようにタイトルバーに文字列表示されている。また、ウィンドウ８０２は、吹き出し状のカーソルで拡大されたアイコンを示している。さらに、選択されている項目の中にあるサブ項目８０３とそれらの現在の設定値８０４がウィンドウ８０２内にプレビュー表示されている。
【００３５】
ここで図５と図９では、設定状態を示すアイコン群５０３とメニューのメイン項目を示すアイコン群７０１が同じ位置５０４かつ同じ方向に整列している。そのため、メニューキー１０９が押されたときに画面が図５から図９へ直ちに遷移してしまうと、使用者には状態が切り替わったことが分かりにくい。あるいは、設定状態を示すアイコン群５０３とメニューのメイン項目を示すアイコン群７０１のそれぞれが1:1で対応し、何らかの関わりがあるのではないかと誤解してしまう恐れがある。
【００３６】
そこで、図５と図９の間に図６〜図８のアニメーションを挟むことにより、アイコン群５０３が消えた後アイコン群７０１が現れることが視覚化されるため、これらの誤認識を防ぐことができる。
【００３７】
図１０は、表示マイコン１０７の動作を示したフローチャートである。
【００３８】
まず、図５の画面を構成するために、ステップ１００１では、モードアイコン５０１、撮影可能枚数５０２と設定状態アイコン群５０３のデータをモードマイコン１０６から得た設定値を元にFlashROM１０８から読み出し、RAM１０５のビットマップ領域へ描画する。ビットマップ領域へ描かれたデータは、ビットマップ表示回路１０４に読み出され、さらに合成回路１０３を経てモニタへ出力される。ステップＳ１００２で、メニューキー１０９が押されたと判断された場合、ステップＳ１００３に処理が移行する。ステップＳ１００３では、撮影可能枚数５０２と設定状態アイコン群５０３を消去し、次にステップＳ１００４ではタイトルバー６０５を表示する。この状態が図６である。
【００３９】
次に、ステップＳ１００５では、表示するメイン項目のアイコン群７０１について、それぞれの表示位置を計算し、ステップＳ１００６では、図７のように表示する。ステップＳ１００７で、メイン項目のアイコン群７０１がメニュー画面の規定位置に表示されていないと判断された場合、ステップＳ１００８で、アイコン群７０１を消去し、ステップＳ１００５で再び次の表示位置を計算し、ステップＳ１００６でメインアイコン群を表示する。ステップＳ１００５からステップＳ１００８の処理を繰り返すことにより、アイコン群７０１が画面上方から下方へ徐々に移動するアニメーションが行われる。
【００４０】
ステップＳ１００７で、アイコンが規定位置に到達していると判断された場合、ステップＳ１００９でウィンドウ８０２を表示する。さらに、ステップ１０１０では、モードマイコン１０６からカーソルの位置情報を取得し、その位置へカーソル（吹き出し）を描画する。図８では「カメラ設定」にカーソルが当たっているので、ステップＳ１０１１では、これをタイトルバー８０１に表示する。ステップＳ１０１２では、選択されているアイコンが拡大再表示され、ステップＳ１０１３では、その項目のサブ項目文字列８０１、各設定値８０３が表示される。
【００４１】
＜メインメニュー画面からサブメニュー画面への遷移について＞
次に、上述したメインメニュー画面からサブメニュー画面への遷移について説明する。
【００４２】
メインメニュー画面とサブメニュー画面で同じ位置に異なる意味のアイコンが並んでいる場合でも、その画面遷移を明確に示すことができる。
図１１は、デジタルビデオカメラのメイン項目を選択するメインメニュー画面を示している。
【００４３】
アイコン１１０１は、現在、カードカメラモードで動作していることを表している。アイコン群１１０３は、それぞれメイン項目を示しており、現在、選択されているアイコンの項目名「カメラ設定」１１０２がタイトルバーに文字列表示されている。
【００４４】
また、アイコン群１１０３のうち、選択されているアイコンは拡大表示されており、この項目の中にあるサブ項目群１１０６の名称と各サブ項目の現在の設定値１１０７がウィンドウ１１０５にプレビュー表示されている。ここで、アイコン群１１０３のそれぞれに重なっている点線の枠１１０４は、アイコン群１１０３が配置されている位置を模式的に図示したものであり、実際に画面に表示されるものではない。
【００４５】
１１０８は撮影されている被写体の映像であるが、この画面ではウィンドウ１１０５に隠されている。ただし、ウィンドウ１１０５は塗りつぶさずにフレームだけの表示であったり、半透明色の塗りつぶしであっても構わないので、それらの場合には被写体１１０８はウィンドウ１１０５の下に透けて見ることができる。
【００４６】
一方、図１４は、図１１で「カメラ設定」を選択した後に現れるサブメニュー画面を示している。
【００４７】
各サブ項目はウィンドウ１１０５上にそれぞれアイコン１４０１と文字列１１０６で表されており、さらに各項目の設定値がアイコン１１０７で示されている。項目をカーソル１４０２で選択することにより、個々のサブ項目の設定を行う画面に移行する。また、図１１で選択した「カメラ設定」のアイコン１１０１がタイトル表示１１０２の左側に追加されている。
【００４８】
このとき、アイコン群１４０１はそれぞれ図１１の枠１１０４の位置、すなわちメイン項目を示すアイコン群１１０３と同じ位置かつ同じ方向に配置されている。そのため、メインメニューで実行キー１１１が押されたときに図１１から図１４へ直ちに遷移してしまうと、使用者には画面の状態が切り替わったことが分かりにくい。あるいは、アイコン群１１０３とアイコン群１４０１の対応するそれぞれが、何らかの関わりがあるのではないかと誤解してしまう恐れがある。
【００４９】
そこで、図１１と図１４の間に図１２と図１３のアニメーションを挟むことにより、アイコン群１１０３が消えた後アイコン群１４０１が現れることが視覚化されるため、これらの誤認識を防ぐことができる。
【００５０】
図１６は、表示マイコン１０７の動作を示したフローチャートである。
【００５１】
まず、ステップＳ１６０１では、撮影画面からメインメニュー画面への遷移（図１０の処理）によって、図１１のメインメニュー画面が構成される。次に、ステップＳ１６０２では、実行キー１１１が押されたと判断された場合、ステップＳ１６０３で、メインアイコン群１１０３を消去する。ステップＳ１６０４では、タイトルバーのメイン項目名の表示位置を移動して、図１２の状態に遷移する。次に、ステップＳ１６０５では、ウィンドウの拡大量および拡大部分の表示位置を計算し、ステップＳ１６０６では、この拡大部分を図１２のように表示する。ステップＳ１６０７で、ウィンドウが規定のサイズまで拡大されていないと判断された場合は、、再び次の拡大量および表示位置を計算し、表示する。ステップＳ１６０５からステップＳ１６０７の処理を繰り返すことにより、図１３に示すようなウィンドウが徐々に画面左方へ拡大するアニメーションが行われる。ステップＳ１６０８では、ウィンドウが規定サイズまで拡大されたら、サブ項目のアイコン群１４０１をそれぞれメイン項目アイコンが置かれていた位置１１０４へ表示し、ステップＳ１６０９では、タイトルバーに選択したメイン項目アイコンを表示する。その後、ステップＳ１６１０では、モードマイコン１０６からカーソルの位置情報を取得し、ステップＳ１６１１で、その位置へカーソルを描画することで、図１４の画面になる。
【００５２】
さらに、ステップＳ１６１２では、図１５に示すように、選択されているサブ項目アイコンを拡大再表示する。
【００５３】
＜サブメニュー画面から設定画面への遷移について＞
次に、デジタルビデオカメラのサブメニュー画面から設定画面への遷移について説明する。
【００５４】
サブメニュー画面と設定画面で同じ位置に異なる意味のアイコンが並んでいる場合でも、その画面遷移を明確に示すことができる。
【００５５】
図１７は、メイン項目を選択した後のサブ項目を選択するサブメニュー画面を示している。
【００５６】
アイコン１７０１は、現在カードカメラモードで動作していることを表している。アイコン１７０２とタイトル１７０３は、表示している各サブ項目の上位にあるメイン項目、すなわちユーザーがすでに選択したメイン項目が表されている。
【００５７】
アイコン群１７０４はそれぞれサブ項目を示しており、カーソル１７０６が選択しているアイコンは拡大表示されている。ここで、アイコン群１７０４のそれぞれに重なっている点線の枠１７０５は、アイコン群１７０４が配置されている位置を模式的に図示したものであり、実際に画面に表示されるものではない。アイコン群１７０５の右側には、それぞれの項目名１７０８とその項目の現在の設定値１７０９が並んでいる。
【００５８】
１７１０は撮影されている被写体の映像であるが、この画面ではウィンドウ１７０７に隠されている。ただし、ウィンドウ１７０７は塗りつぶさずにフレームだけの表示であったり、半透明色の塗りつぶしであっても構わないので、それらの場合には被写体１７１０はウィンドウ１７０７の下に透けて見ることができる。
【００５９】
一方、図２０は、図１７で「デジタルズーム」を選択した後に現れる設定画面を示している。ウィンドウ１７０７の上に小ウィンドウ１８０３が表示され、その上に「デジタルズーム」の設定項目がアイコン２００１と文字列１８０２の両方で表されている。現在選択している項目は、カーソル２００３でポイントされている。ここで項目をカーソル２００３でポイントし、選択することにより、そのサブ項目（デジタルズーム）の設定が変更されるとともに、図１７の画面へ戻ることができる。
【００６０】
また、画面上方のタイトルバーには、モードアイコン１７０１の隣に「カメラ設定」を示すメイン項目アイコン１７０２と、「デジタルズーム」を示すサブ項目アイコン２００１が、間に三角印１８０１をはさんで表示されることにより、メニューを開いてからこの画面を開くまでの経路が視覚化されている。
【００６１】
このとき、アイコン群１７０９はそれぞれ図１７の枠１７０５の位置、すなわちサブ項目を示すアイコン群１７０４と同じ位置かつ同じ方向に配置されている。そのため、サブメニューで実行キー１１１が押されたときに図１７から図２０へ直ちに遷移してしまうと、使用者には画面の状態が切り替わったことが分かりにくい。あるいは、アイコン群１７０４とアイコン群１７０９の対応するそれぞれが、何らかの関わりがあるのではないかと誤解してしまう恐れがある。
【００６２】
そこで、図１７と図２０の間に図１８と図１９のアニメーションを挟むことにより、アイコン群１７０４が消えた後アイコン群１７０９が現れることが視覚化されるため、これらの誤認識を防ぐことができる。
【００６３】
図２１は、表示マイコン１０７の動作を示したフローチャートである。
【００６４】
まず、ステップＳ２１０１では、メインメニュー画面からサブメニュー画面への遷移（図１６の処理）によって、図１７のサブメニュー画面が構成される。
【００６５】
次に、ステップＳ２１０２で、実行キー１１１が押されたと判断された場合、、ウィンドウ１７０７の上に表示されていたサブアイコン群１７０４、サブ項目リスト１７０８、設定値アイコン群１７０９、カーソル１７０６と、タイトルバーのメイン項目名「カメラ設定」１７０３を消去する。次に、ステップＳ２１０４では、設定画面用の小ウィンドウ１８０３と、タイトルバーのサブ項目名「デジタルズーム」１８０２、三角印１８０１を表示する。
【００６６】
ステップＳ２１０５では、続いて設定値アイコンの表示位置を計算し、ステップＳ２１０６では、これらを表示する。ステップＳ２１０７では、設定値アイコン群が規定位置に到達したか否かを判断し、到達していないと判断された場合、ステップＳ２１０８では、設定値アイコン群を消去し、再び次の表示位置を計算して、表示する。ステップＳ２１０５からステップＳ２１０８の処理を繰り返すことにより、設定値アイコン群が画面右方から徐々に左方へ移動してゆくアニメーションが行われる（図１８、１９）。
【００６７】
ステップＳ２１０７で、設定値アイコン群が規定の位置に到達したと判断された場合、ステップＳ２１０９では、設定値リスト２００２とタイトルバー上のサブ項目アイコン２００１を表示する。さらに、ステップＳ２１１０では、モードマイコン１０６からカーソルの位置情報を取得し、ステップＳ２１１１で、その位置へカーソルを描画することで、図２０の画面になる。
【００６８】
本実施形態により、画面Ａから画面Ｂへの遷移でアイコンが切り替わったことを視覚的に示すことができる。また、画面遷移にアニメーションが挟まるために、画面Ａのアイコンと画面Ｂの同じ位置のアイコンについて、使用者が過剰に関連を意識してしまうことを避けることができる。
【００６９】
以上、説明したように、本実施形態に依れば、通常画面からメインメニュー画面、メインメニュー画面からサブメニュー画面、サブメニュー画面から設定画面へのそれぞれの遷移過程におけるアニメーションを変えることにより、操作者はどの画面への遷移が行われるかを容易に確認することができる。
【００７０】
本実施形態では、デジタルビデオカメラを用いて説明したが、本発明は表示部を有する他の機器、例えばデジタルカメラ、携帯電話、PDA等に適用することは可能である。
【００７１】
＜他の実施形態＞
本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００７２】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【図面の簡単な説明】
【００７３】
【図１】本発明の一実施形態に係わるデジタルビデオカメラの構成を示すブロック図である。
【図２】ビットマップデータの描画と消去を示す図である。
【図３】ダブルバッファリングを行わない表示処理例を示す図である。
【図４】ダブルバッファリングを行う表示処理例を示す図である。
【図５】モニタに表示される通常の撮影画面を示す図である。
【図６】通常撮影画面からメインメニュー画面に切り替わる場合のアニメーション動作前の画面を示す図である。
【図７】通常撮影画面からメインメニュー画面に切り替わる場合のアニメーション動作中の画面を示す図である。
【図８】モニタに表示されるメインメニュー画面を示す図である。
【図９】モニタに表示されるメインメニュー画面を示す図である。
【図１０】本発明の実施形態の動作を示すフローチャートである。
【図１１】メインメニュー画面からサブメニュー画面に切り替わる場合のアニメーション動作前の画面を示す図である。
【図１２】メインメニュー画面からサブメニュー画面に切り替わる場合のアニメーション動作前の画面を示す図である。
【図１３】メインメニュー画面からサブメニュー画面に切り替わる場合のアニメーション動作中の画面を示す図である。
【図１４】モニタに表示されるサブメニュー画面を示す図である。
【図１５】モニタに表示されるサブメニュー画面を示す図である。
【図１６】本発明の実施形態の動作を示すフローチャートである。
【図１７】モニタに表示されるサブメニュー画面を示す図である。
【図１８】サブメニュー画面から設定画面に切り替わる場合のアニメーション動作中の画面を示す図である。
【図１９】サブメニュー画面から設定画面に切り替わる場合のアニメーション動作中の画面を示す図である。
【図２０】モニタに表示される設定画面を示す図である。
【図２１】本発明の実施形態の動作を示すフローチャートである。
【符号の説明】
【００７４】
１０１  カメラ部
１０２  映像処理回路
１０３  映像合成回路
１０４  ビットマップ表示回路
１０５  ＲＡＭ
１０６  モードマイコン
１０７  表示マイコン
１０８  ＦｌａｓｈＲＯＭ
１０９  メニューキー
１１０  選択キー
１１１  実行キー
２０１  オブジェクトデータ
２０２  ヘッダ部
２０３  データ部
２０４  描画例
２０５  消去例
２０６  追記前
２０７  追記後
５０１〜５０４  設定状態を示すアイコン
５０５  カード残容量
５０６  被写体
６０１〜６０４  設定状態を示すアイコンが表示されていた領域
６０５  タイトルバー（メニュータイトル表示）
７０１〜７０４  メイン項目アイコン
８０１〜８０４  サブ項目文字列リスト
８０５  タイトルバー（メイン項目名表示）
８０６  ウィンドウ
１００１〜１００４  メイン項目アイコン
１００５〜１００８  サブ項目文字列リスト
１００９  タイトルバー（メイン項目名表示）
１０１０  被写体
１０１１  ウィンドウ
１１０１〜１１０４  メイン項目アイコンが表示されていた領域
１３０１〜１３０４  サブ項目アイコン
１３０５  カーソル
１３０６  拡大されたウィンドウ
【図１】
2007052403.tif 000003
【図２】
2007052403.tif 000004
【図３】
2007052403.tif 000005
【図４】
2007052403.tif 000006
【図５】
2007052403.tif 000007
【図６】
2007052403.tif 000008
【図７】
2007052403.tif 000009
【図８】
2007052403.tif 000010
【図９】
2007052403.tif 000011
【図１０】
2007052403.tif 000012
【図１１】
2007052403.tif 000013
【図１２】
2007052403.tif 000014
【図１３】
2007052403.tif 000015
【図１４】
2007052403.tif 000016
【図１５】
2007052403.tif 000017
【図１６】
2007052403.tif 000018
【図１７】
2007052403.tif 000019
【図１８】
2007052403.tif 000020
【図１９】
2007052403.tif 000021
【図２０】
2007052403.tif 000022
【図２１】
2007052403.tif 000023